(57)【要約】　　　（修正有）【課題】住宅等小規模建築物用スプリンクラー装置で、消火ポンプや消火水槽及び非常用発電機の必要がなく設備費が少ない設備であり、震災時に水道、電気が遮断されても初期消火できるスプリンクラー装置を提供する。【解決手段】消化液配管に消化液を貯水する事により、複数の建築物で共有する事も可能である。圧縮空気又は不活性ガスを消化液配管の動作用送水加圧源に使用する事により、水道、電気が遮断されても動作可能な為、平常状態では消化液配管に加圧していない。また、火災発生で消火動作に至った場合複数の建築物で共有している消化液配管に圧縮空気又は不活性ガスが加圧されるが火災が発生している建築物のスプリンクラーヘッドからのみ消化液が放出され、安全である。尚、消化液配管内の消化液が無くなれば自動ガス抜き弁より圧縮空気又は不活性ガスを大気開放され屋内には、放出されないので安全である。【選択図】図１
2004097503.tif 000002
【特許請求の範囲】
【請求項１】
スプリンクラー装置の感知管内に感知用の圧縮空気又は不活性ガスを使用し、火災感知によるスプリンクラーヘッドの開放動作で圧力低下と連動して開く制御弁により、作動用の不活性ガス又は圧縮空気の開閉をコントロールし、消化液配管へ加圧動作することにより消化液配管内に充填してある消化液をスプリンクラーヘッドに送りミスト放射することを特徴とする住宅等小規模建築物用スプリンクラー装置。
【請求項２】
制御弁を水道管と蛇口の間に配置し、請求項１記載の圧縮空気又は不活性ガスの圧力が低下することによって、該制御弁の切替動作でスプリンクラー装置への水道給水が開始出来る状態となることを特徴とする。
【発明の詳細な説明】
【０００１】
【発明が属する技術分野】
住宅等小規模建築物用スプリンクラー装置に関するものである。
【０００２】
【従来の技術】
従来、予作動式スプリンクラー設備配管の二次側を圧縮空気又は不活性ガスで充填していましたが予作動弁に死水が出来る為、住宅等小規模建築物用スプリンクラー装置としては水道直圧式は、出来ませんでした。また、予作動式又はスプリンクラー装置はアラーム弁又は予作動弁により加圧送水を制御するため災害時等水道水や電気の供給が遮断されれば機能しない物の為、加圧送水装置や発電装置が必要であった。
【０００３】
前記以外の従来装置において、貯水タンクに炭酸ガス圧をかけ配管に常時加圧するもので炭酸ガスも放出されるため住宅等小規模建築物用スプリンクラー装置には問題があった。
【０００４】
【発明が解決しようとする課題】
電気、水道が遮断されても初期消火可能な物及び結露、凍結を起こさない物。また水道直圧が利用出来る物。
【０００５】
【課題を解決するための手段】
本発明は、消火液配管内にある一定量の消火液で効率の良い消火をする為、作動用の圧縮空気又は不活性ガスの圧力でウォーターミストを利用する。又、スプリンクラー配管を感知管として併用し感知用の圧縮空気又は不活性ガスを使用する。及び水道水に死水の出来ない切替制御弁を利用するものである。
【０００６】
【実施例】
以下図１に基づいて説明する。
【０００７】
図１において、５ガスボンベに圧縮空気又は不活性ガスが充填してあり、２制御弁で閉止されている。また２制御弁には、ガスボンベの圧力を開閉制御する為のコントロール圧力がかけてあり、このコントロール圧力は１４感知管及び１スプリンクラー配管に圧縮空気又は不活性ガスを充填してあることにより１２逆止弁及び１３逆止弁は閉止状態となる。よってコントロール圧力が高い時はガスボンベの圧力は閉止状態となる。
さて３スプリンクラーヘッドが火災により開放状態なることによりコントロール圧力が低下する。よって２制御弁が開放となり、閉止されていた５ガスボンベの高い圧力が６消化液配管にかかることにより６消化液配管に充填してある消化液が４消化液放出配管より放出される。また、１４感知管と１スプリンクラー配管のコントロール圧力が低下することにより９水道メーターと１０蛇口の間に設置された８制御弁も切替動作となり水道水が１３逆止弁まで供給されるが１スプリンクラー配管内の消化液放出圧力が高いため１３逆止弁は閉止状態となる。該消火液が１２逆止弁と１スプリンクラー配管を通り３スプリンクラーヘッドよりウオーターミスト放射される。この時１１逆止弁と１３逆止弁は閉止状態であり、４消化液配管内の消火液が無くなると７自動ガス抜き弁の液面が下がり５ガスボンベより加圧された６消化液配管内のガス圧が放出され１スプリンクラー配管内の圧力も無くなる。
この時１３逆止弁で閉止されていた水道水は、１スプリンクラー配管内の圧力低下により通水状態となる。よって１２逆止弁と１１逆止弁は閉止し、水道水は１スプリンクラー配管を通り３スプリンクラーヘッドより散水される。
この一連の動作の各圧力は標準で、水道水圧０．３Ｍｐａから０．５Ｍｐａ　、５ガスボンベ圧１Ｍｐａから５Ｍｐａ　、１４感知管コントロール圧０．２Ｍｐａから０．８Ｍｐａとする。
【０００８】
【発明の効果】
以上説明したように本発明のスプリンクラー装置は２段階で消火動作することにより水道水が遮断されても初期消火が可能である。まして初期消火に至らなかった場合でも水道水が遮断されていなければ、追加スプリンクラー動作となる。また通常は、スプリンクラー配管内に消火液が無い為凍結や結露の対策が例外を除き不要である、よって新築はもちろん既設建築物への対応も容易である。
【図面の簡単な説明】
【図１】本発明の系統図
【符号の説明】
１　　スプリンクラー配管
２　　制御弁
３　　スプリンクラーヘッド
４　　消化液放出配管
５　　ガスボンベ
６　　消化液配管
７　　自動ガス抜き弁
８　　制御弁
９　　水道メーター
１０　蛇口
１１　逆止弁
１２　逆止弁
１３　逆止弁
１４　感知管
【図１】
2004097503.tif 000003
【手続補正書】
【提出日】平成15年4月28日(2003.4.28)
【手続補正１】
【補正対象書類名】明細書
【補正対象項目名】全文
【補正方法】変更
【補正の内容】
【特許請求の範囲】
【請求項１】スプリンクラー装置の感知管内に感知用の圧縮空気又は不活性ガスを使用し、火災感知によるスプリンクラーヘッドの開放動作で圧力低下と連動して開く制御弁により、作動用の不活性ガス又は圧縮空気の開閉をコントロールし、消火液配管へ加圧動作することにより消火液配管内に充填してある消火液をスプリンクラーヘッドに送りミスト放射することを特徴とする住宅等小規模建築物用スプリンクラー装置。
【請求項２】制御弁を水道管と蛇口の間に配置し、請求項１記載の圧縮空気又は不活性ガスの圧力が低下することによって、該制御弁の切替動作でスプリンクラー装置への水道給水が開始出来る状態となることを特徴とする。
【発明の詳細な説明】
【０００１】
【発明が属する技術分野】
住宅等小規模建築物用スプリンクラー装置に関するものである。
【０００２】
【従来の技術】
従来、予作動式スプリンクラー設備配管の二次側を圧縮空気又は不活性ガスで充填していましたが予作動弁に死水が出来る為、住宅等小規模建築物用スプリンクラー装置としては水道直圧式は、出来ませんでした。また、予作動式又はスプリンクラー装置はアラーム弁又は予作動弁により加圧送水を制御するため災害時等水道水や電気の供給が遮断されれば機能しない物の為、加圧送水装置や発電装置が必要であった。
【０００３】
前記以外の従来装置において、貯水タンクに炭酸ガス圧をかけ配管に常時加圧するもので炭酸ガスも放出されるため住宅等小規模建築物用スプリンクラー装置には問題があった。
【０００４】
【発明が解決しようとする課題】
電気、水道が遮断されても初期消火可能な物及び結露、凍結を起こさない物。また水道直圧が利用出来る物。
【０００５】
【課題を解決するための手段】
本発明は、消火液配管内にある一定量の消火液で効率の良い消火をする為、作動用の圧縮空気又は不活性ガスの圧力でウォーターミストを利用する。又、スプリンクラー配管を感知管として併用し感知用の圧縮空気又は不活性ガスを使用する。及び水道水に死水の出来ない切替制御弁を利用するものである。
【０００６】
【実施例】
以下図１に基づいて説明する。
【０００７】
図１において、５ガスボンベに圧縮空気又は不活性ガスが充填してあり、２制御弁で閉止されている。また２制御弁には、ガスボンベの圧力を開閉制御する為のコントロール圧力がかけてあり、このコントロール圧力は１４感知管及び１スプリンクラー配管に圧縮空気又は不活性ガスを充填してあることにより１２逆止弁及び１３逆止弁は閉止状態となる。よってコントロール圧力が高い時はガスボンベの圧力は閉止状態となる。
さて３スプリンクラーヘッドが火災により開放状態なることによりコントロール圧力が低下する。よって２制御弁が開放となり、閉止されていた５ガスボンベの高い圧力が６消火液配管にかかる事により６消火液配管に充填してある消火液が４消火液放出配管より放出される。また、１４感知管と１スプリンクラー配管のコントロール圧力が低下することにより９水道メーターと１０蛇口の間に設置された８制御弁も切替動作となり水道水が１３逆止弁まで供給されるが１スプリンクラー配管内の消火液放出圧力が高いため１３逆止弁は閉止状態となる。該消火液が１２逆止弁と１スプリンクラー配管を通り３スプリンクラーヘッドよりウオーターミスト放射される。この時１１逆止弁と１３逆止弁は閉止状態であり、４消火液配管内の消火液が無くなると７自動ガス抜き弁の液面が下がり５ガスボンベより加圧された６消火液配管内のガス圧が放出され１スプリンクラー配管内の圧力も無くなる。
この時１３逆止弁で閉止されていた水道水は、１スプリンクラー配管内の圧力低下により通水状態となる。よって１２逆止弁と１１逆止弁は閉止し、水道水は１スプリンクラー配管を通り３スプリンクラーヘッドより散水される。
この一連の動作の各圧力は標準で、水道水圧０．３Ｍｐａから０．５Ｍｐａ　、５ガスボンベ圧１Ｍｐａから５Ｍｐａ　、１４感知管コントロール圧０．２Ｍｐａから０．８Ｍｐａとする。
【０００８】
【発明の効果】
以上説明したように本発明のスプリンクラー装置は２段階で消火動作することにより水道水が遮断されても初期消火が可能である。まして初期消火に至らなかった場合でも水道水が遮断されていなければ、追加スプリンクラー動作となる。また通常は、スプリンクラー配管内に消火液が無い為凍結や結露の対策が例外を除き不要である、よって新築はもちろん既設建築物への対応も容易である。
【図面の簡単な説明】
【図１】本発明の系統図
【符号の説明】
１　　スプリンクラー配管
２　　制御弁
３　　スプリンクラーヘッド
４　　消火液放出配管
５　　ガスボンベ
６　　消火液配管
７　　自動ガス抜き弁
８　　制御弁
９　　水道メーター
１０　蛇口
１１　逆止弁
１２　逆止弁
１３　逆止弁
１４　感知管